(57)【要約】      （修正有）【課題】不正使用を防止し得る通帳と、通帳を用いて不正使用を防止し得ると共に、費用の低減が図れ、かつ作業効率が向上し得る印鑑照合システムとを提供する。【解決手段】帳票の帳票画像データから印影部分を印影画像データとして出力する帳票画像切り出し手段５１と、切り出された印影画像データに基づいて電子透かしデータを生成する電子透かしデータ作成手段５２と、電子透かしデータに基づいて通帳へ地紋としてセキュアプリント印刷を行うセキュアプリント印刷手段４２と、地紋から電子透かしデータを抽出する電子透かし抽出手段５３と、抽出された電子透かしデータに基づいて変換を行い、印影部分を通帳印影画像データとして出力する通帳印影画像データ取得手段５４と、通帳印影画像データと、取引用帳票の帳票画像データから切り出した取引帳票印影画像データと、を取り込み比較して印鑑照合を行う印鑑照合手段５７とを有する。【選択図】図１
2005278091.tif 000002
【特許請求の範囲】
【請求項１】
押印された帳票の帳票画像データから印影部分を切り出し、印影画像データとして出力する帳票画像切り出し手段と、
通帳作成用帳票から切り出された印影画像データに基づいて電子透かしデータを生成する電子透かしデータ作成手段と、
前記電子透かしデータに基づいて通帳へ地紋としてセキュアプリント印刷を行うセキュアプリント印刷手段と、
前記通帳の地紋より電子透かしデータを抽出する電子透かし抽出手段と、
前記電子透かし抽出手段で抽出された電子透かしデータに基づいて変換を行い、前記通帳における印影部分の画像データを通帳印影画像データとして出力する通帳印影画像データ取得手段と、
前記通帳印影画像データと、前記帳票画像切り出し手段により取引用帳票の帳票画像データから切り出した取引帳票印影画像データとを取り込み、比較して印鑑照合を行う印鑑照合手段とを有することを特徴とする印鑑照合システム。
【請求項２】
押印された通帳作成用帳票の帳票画像データから印影部分を切り出し、該印影部分を規定に従って２分割し、一方を第１印影画像データ、他方を第２印影画像データとして出力する通帳作成帳票画像切り出し手段と、
前記第１印影画像データに基づいて電子透かしデータを生成する電子透かしデータ作成手段と、
前記電子透かしデータに基づいて通帳へ地紋としてセキュアプリント印刷を行うと共に、前記第２印影画像データに基づいてドット印刷を行うセキュアプリント印刷手段と、
押印された取引用帳票の帳票画像データから印影部分を切り出し、取引帳票印影画像データとして出力する取引帳票画像切り出し手段と、
前記通帳の地紋より電子透かしデータを抽出する電子透かし抽出手段と、
前記電子透かし抽出手段で抽出された電子透かしデータに基づいて変換を行い、前記通帳における印影部分の画像データを通帳印影画像データとして出力する通帳印影画像データ取得手段と、
前記通帳における前記ドット印刷された部分の画像データをドット印刷画像データとして取得すると、該ドット印刷画像データで示される画像と、前記通帳印影画像データで示される画像とを合成して一つの印影を示す画像を生成し、該画像を示す通帳合成印影画像データを出力する印影作成手段と、
前記通帳合成印影画像データと前記取引帳票印影画像データとを比較して印鑑照合を行う印鑑照合手段とを有することを特徴とする印鑑照合システム。
【請求項３】
登録印に対応付けられた通帳であって、
前記登録印の印影の画像データに基づいて電子透かしデータが生成され、該電子透かしデータに基づいて、地紋としてセキュアプリント印刷が施され、前記登録印の印影が視認不可能に記録されることを特徴とする通帳。
【請求項４】
登録印に対応付けられた通帳であって、
前記登録印の印影が分割され、分割された一方の印影が通帳にそのまま記録され、他方の印影の画像データに基づいて電子透かしデータが生成され、該電子透かしデータに基づいて、地紋としてセキュアプリント印刷が施され、前記一方の印影が視認可能に、前記他方の印影が視認不可能に記録されることを特徴とする通帳。
【請求項５】
登録印に対応付けられた通帳であって、前記登録印の印影の少なくとも一部分の画像データに基づいて電子透かしデータが生成され、該電子透かしデータに基づいて、地紋としてセキュアプリント印刷が施され、前記登録印の印影が視認不可能に記録された開設済みの通帳を保持する顧客が、新規の口座を開設するとき、前記顧客の本人認証を行い、当該顧客が認証されると、前記通帳の地紋より電子透かしデータを抽出し、抽出した該電子透かしデータに基づいて新規の通帳にセキュアプリント印刷を施すことを特徴とする通帳発行方法。
【発明の詳細な説明】
【技術分野】
【０００１】
本発明は、通帳に対応付けられた印鑑を照合する印鑑照合システムと、そのシステムに使用される通帳および通帳発行方法に関するものである。
【背景技術】
【０００２】
通常、金融機関で新規口座を作る時に、顧客が新規口座申込書に届出印鑑を押印する。その後、この金融機関と取引する際には、該届出印鑑の印影を用いて各種の帳票へ押印された印影との照合が行われる。従来、該届出印鑑の印影は、スキャナなどで電子データに変換された後にサーバへ集められて登録印影データベースに格納される。登録印影は、必要とするときに、サーバからダウンロードされ営業店窓口において印鑑照合などに使用されていた。また、図１４の（ａ）に示すように通帳の印鑑欄にも該届出印鑑（副印鑑）が、捺印されている。これは、顧客が通帳を利用する際に通帳と印鑑の対応を明白にして顧客の利便性を高めることを意図していた。
【０００３】
通帳が盗難に遭い、通帳上に記録されている届出印鑑の印影から印鑑が偽造され、この偽造印鑑を悪用することにより不正に預金が引き出されるトラブルが増加している。この偽造印鑑の不正使用を防止するため、通帳上に届出印鑑の印影を表示しない通帳が各種提案されている。
【０００４】
特許文献１には、図１４の（ｂ）に示すように通帳には届出印の印影を表示せずに、その印影のイメージ画像を所定のロジックに従ってコード画像へ変換して、そのコード画像を届出印の印影に係わる情報として表示した通帳とそのコード画像を用いた印影照合方法が提案されている。ここで採用されているコード変換データは、秘匿データとしての２次元コードであり、「ＰＤＦ４１７」を利用した具体例の記述がある。
【０００５】
特許文献２には、顧客が帳票へ押印した届出印の印影を画像読取装置で読取り、印影の読取データを画像処理装置で印影と１対１に対応するコード変換を行った後、前記印影の読取りデータを印章データベースに記録するとともに、コード変換データを通帳へ印刷装置で印字する通帳発行システムが提案されている。該通帳発行システムでは、発行された通帳のコードをコード読取装置で読取り、印章データベースの該コードに対応する届出印の印影と顧客が取引の目的で帳票へ押印した印鑑の印影と一致しているか否かを判定する印影照合を行っている。ここで採用されているコード変換データは、秘匿データとしてのバーコードや２次元コードである。
【特許文献１】特開平１０−１００５６３号公報
【特許文献２】特開平１０−２０８０４８号公報
【発明の開示】
【発明が解決しようとする課題】
【０００６】
しかしながら、特許文献１および特許文献２には、届出印の印影をそのまま通帳に表示しない工夫はあるものの、秘匿データの在処を第３者が容易に知り得ることができ、これが問題となっていた。すなわち悪意を持った第３者が、視認可能な秘匿データを解読し、偽造印鑑を作成して不正取引を行ったり、秘匿データが示された部分の貼り替えを行って不正取引を行う恐れがあり、これが危惧されていた。
一方、取引の認証を行うためにサーバに保持されている登録印影を、一々ダウンロードする必要がある為、営業店窓口における１回の印鑑照合に時間を要し、業務効率が悪いことが問題になっており、更に登録印影をサーバで管理することから、そのシステムの運用管理費用も問題になっていた。
【０００７】
かかる問題に鑑みて、本発明の目的は、不正使用を防止し得る通帳と、該通帳を用いて、不正使用を防止し得ると共に、費用の低減が図れ、かつ作業効率が向上し得る印鑑照合システムと通帳発行方法を提供することにある。
【課題を解決するための手段】
【０００８】
本発明の印鑑照合システム、通帳および通帳発行方法は、以上の欠点や不具合点を解決するために、次の構成を採用する。
（構成１）
本発明の印鑑照合システムは、押印された帳票の帳票画像データから印影部分を切り出し、印影画像データとして出力する帳票画像切り出し手段と、通帳作成用帳票から切り出された印影画像データに基づいて電子透かしデータを生成する電子透かしデータ作成手段と、電子透かしデータに基づいて通帳へ地紋としてセキュアプリント印刷を行うセキュアプリント印刷手段と、通帳の地紋より電子透かしデータを抽出する電子透かし抽出手段と、
電子透かし抽出手段で抽出された電子透かしデータに基づいて変換を行い、通帳における印影部分の画像データを通帳印影画像データとして出力する通帳印影画像データ取得手段と、通帳印影画像データと、帳票画像切り出し手段により取引用帳票の帳票画像データから切り出した取引帳票印影画像データとを取り込み、比較して印鑑照合を行う印鑑照合手段とを有することを特徴とする。
【０００９】
（構成２）
本発明の印鑑照合システムは、押印された通帳作成用帳票の帳票画像データから印影部分を切り出し、該印影部分を規定に従って２分割し、一方を第１印影画像データ、他方を第２印影画像データとして出力する通帳作成帳票画像切り出し手段と、第１印影画像データに基づいて電子透かしデータを生成する電子透かしデータ作成手段と、電子透かしデータに基づいて通帳へ地紋としてセキュアプリント印刷を行うと共に、第２印影画像データに基づいてドット印刷を行うセキュアプリント印刷手段と、押印された取引用帳票の帳票画像データから印影部分を切り出し、取引帳票印影画像データとして出力する取引帳票画像切り出し手段と、通帳の地紋より電子透かしデータを抽出する電子透かし抽出手段と、電子透かし抽出手段で抽出された電子透かしデータに基づいて変換を行い、通帳における印影部分の画像データを通帳印影画像データとして出力する通帳印影画像データ取得手段と、通帳におけるドット印刷された部分の画像データをドット印刷画像データとして取得すると、該ドット印刷画像データで示される画像と、通帳印影画像データで示される画像とを合成して一つの印影を示す画像を生成し、該画像を示す通帳合成印影画像データを出力する印影作成手段と、通帳合成印影画像データと取引帳票印影画像データとを比較して印鑑照合を行う印鑑照合手段とを有することを特徴とする。
【００１０】
（構成３）
本発明の通帳は、登録印に対応付けられた通帳であって、登録印の印影の画像データに基づいて電子透かしデータが生成され、該電子透かしデータに基づいて、地紋としてセキュアプリント印刷が施され、登録印の印影が視認不可能に記録されることを特徴とする。
（構成４）
本発明の通帳は、登録印に対応付けられた通帳であって、登録印の印影が分割され、分割された一方の印影が通帳にそのまま記録され、他方の印影の画像データに基づいて電子透かしデータが生成され、該電子透かしデータに基づいて、地紋としてセキュアプリント印刷が施され、一方の印影が視認可能に、他方の印影が視認不可能に記録されることを特徴とする。
【００１１】
（構成５）
本発明の通帳発行方法は、登録印に対応付けられた通帳であって、登録印の印影の少なくとも一部分の画像データに基づいて電子透かしデータが生成され、該電子透かしデータに基づいて、地紋としてセキュアプリント印刷が施され、登録印の印影が視認不可能に記録された開設済みの通帳を保持する顧客が、新規の口座を開設するとき、顧客の本人認証を行い、当該顧客が認証されると、通帳の地紋より電子透かしデータを抽出し、抽出した該電子透かしデータに基づいて新規の通帳にセキュアプリント印刷を施すことを特徴とする。
【発明の効果】
【００１２】
本発明の印鑑照合システムは、営業店窓口で顧客が提出した通帳に予め埋め込んである電子透かしデータより登録印の通帳印影画像データを取得して、顧客が押印し提出した取引用帳票の帳票印影画像データと比較して印鑑照合を行う。従って、サーバから登録印影データをダウンロードする必要がないことから、登録印影データのダウンロードに要する通信時間が零となり印鑑照合の時間を短縮できるので、営業店窓口での業務が敏速かつ円滑に推進される。登録印影データを保持する登録印影データベースを省くことができるので、印鑑照合システムの運用管理費用を大幅に低減できる。また、本発明の通帳は、登録印の印影をそのまま記録せず、印影の画像データを電子透かしデータに変換して、通帳にセキュアプリント印刷し地紋の中に印影の画像データを埋め込んであるので、印影画像に関係する部分が何処に印刷されているのかが視認出来ない。従って、盗難に逢っても偽造印鑑の作成が不可能であり、登録印の印影の不正使用を防止することができる。
【発明を実施するための最良の形態】
【００１３】
以下、本発明の実施形態について図を用いて詳細に説明する。以下の説明では、各実施の形態に用いる図面について同一の構成要素は同一の符号を付し、かつ重複する説明は可能な限り省略する。
【実施例１】
【００１４】
以下、本発明の実施例1の印鑑照合システムについて、図１〜図６および図１３を用いて詳細に説明する。該印鑑照合システムは、通帳にセキュアプリント印刷した副印鑑を用いて取引用帳票に押印された印影を照合する。図１に示されるように、帳票１を走査するスキャナ３と、通帳２へ記帳する通伝プリンタ４と、照合機能を有するパソコンなどから成る印鑑照合装置（以下  ＰＣと記述する）５と、ＬＡＮ回線６を介してＰＣ５に接続されるサーバ７および登録印影データベース８から構成される。
【００１５】
ＰＣ５は、印鑑照合処理の後、ＬＡＮ回線６を介して印鑑照合の結果である一致または不一致を示すデータなどをサーバ７へ送信する。必要な場合には、ＰＣ５はサーバ７に接続される登録印影データベース８から登録印影の画像データなどを受信する。登録印影データベース８には、登録印影の画像データとそれに付帯する個人情報をサーバ７から受信して格納される。しかし、登録印影データベース８は、本発明の印鑑照合システムには、必ずしも必要な構成要素でなく省略することも可能である。
【００１６】
通伝プリンタ４は、通帳２を走査し画像データを取得する機能を有するスキャナ部４１と通帳プリンタ部（セキュアプリント印刷手段）４２から構成される。スキャナ部４１は、取引時に顧客より提出された通帳２を走査し取得した画像データをＰＣ５へ送信する。通帳プリンタ部４２は、ＰＣ５から受信した印刷データに基づいて通帳２へ印刷する。
【００１７】
ＰＣ５は、図１に示されるように、画像切り出し部（帳票画像切り出し手段）５１と、電子透かしデータ作成部（電子透かしデータ作成手段）５２と、電子透かしデータ抽出部（電子透かし抽出手段）５３と、通帳印影画像データ取得部（通帳印影画像データ取得手段）５４と，記憶部５５と、印鑑照合部（印鑑照合手段）５７と、ＬＡＮ送受信部５８および制御部５９などから構成される。
【００１８】
記憶部５５は、複数の画像メモリなどで構成される。即ち、画像メモリ５５１と、画像メモリ５５２と、画像メモリ５５３と、画像メモリ５５４と、電子透かしデータメモリ５５６と、印鑑照合結果格納メモリ５５７とで構成される。
【００１９】
ここで、前記した各部と、前記記憶部５５内の各メモリとの関係について図２を用いて説明する。画像切り出し部５１は、例えば顧客が通帳を新規に作成する場合、顧客は登録印を押印した通帳作成用帳票１ａを金融機関へ提出するが、スキャナ３で帳票１ａを走査して帳票画像データを取得し、該取得された帳票画像データのうち印影部分の画像データを切り取り、該印影画像データを画像データメモリ５５１へ送信する。画像データメモリ５５１は、受信した印影画像データを格納する。
電子透かしデータ作成部５２は、画像データメモリ５５１に格納されている印影画像データを電子透かしデータに変換し、該電子透かしデータを電子透かしデータメモリ５５６に格納する機能を有する。
【００２０】
電子透かしデータ抽出部５３は、画像データメモリ５５２に格納されている画像データから電子透かしデータを抽出する。
通帳印影画像データ取得部５４は，抽出された電子透かしデータから印影部分の画像データへ変換する。得られた印影部分の画像データを画像データメモリ５５３に格納する。
【００２１】
印鑑照合部５７は、画像データメモリ５５３と画像データメモリ５５４に格納されている印影部分の画像データを照合し、その照合結果を示す一致や不一致した旨のデータを印鑑照合結果格納メモリ５５７へ格納する。
ＬＡＮ送受信部５８は、ＬＡＮ回線６を介してサーバ７へ照合結果の一致や不一致を示すデータおよび顧客情報などを送受信する。
制御部５９は、ＰＣ５の各部を総括し制御する。
【００２２】
第１の実施例の動作について説明する。
実施例１の帳票画像の入手から通帳にセキュアプリント印刷を行うまでの埋め込み処理の流れを図３に示し、セキュアプリントの原理説明を図５に示し、これらの図を参照しながら説明する。
【００２３】
画像入力処理（Ａ）
顧客が通帳を新規に作成する場合、顧客は登録印を押印した通帳作成用帳票１ａを金融機関へ提出する。スキャナ３で通帳作成用帳票１ａを走査し取得する。取得された帳票画像データは、スキャナ３から画像切り出し部５１へ出力される。画像切り出し部５１は入力された帳票画像５０１から印影部分の画像５０２を切り取り、切り取られた印影部分の画像５０２をバイナリデータ５０３へ変換する。該バイナリデータ５０３は、画像データメモリ５５１へ送信されて格納される。
【００２４】
電子透かしデータ作成処理（Ｂ）
電子透かしデータ作成部５２は、画像データメモリ５５１に格納されている印影画像のバイナリデータ５０３を、電子透かしデータ５０４へ変換する。
【００２５】
印影画像のバイナリデータ５０３から電子透かしデータ５０４への変換例を説明する。バイナリデータ５０３の「１」と「０」に予め用意した透かし信号を割り当てる。透かし信号は、ドットの配列によって任意の波長と方向をもつ波を表現したものである。幅と高さがＳｗ、Ｓｈの矩形を信号の単位として「信号ユニット」と称する。ここでは、図１３に示されるＳｗ＝Ｓｈ＝１２ドットの３種類の「信号ユニット」の例で説明する。即ち、図１３（ａ）に示されるユニットＡは、ドット間の距離が水平軸に対してａｒｃｔａｎ（３）の方向に密であり、波の伝搬方向はａｒｃｔａｎ（−１／３）である。該ユニットＡは、バイナリデータ５０３の「０」に割り当てられる。
【００２６】
図１３（ｂ）に示されるユニットＢは、ドット間の距離が水平軸に対してａｒｃｔａｎ（−３）の方向に密であり、波の伝搬方向はａｒｃｔａｎ（１／３）である。該ユニットＢは、バイナリデータ５０３の「１」に割り当てられる。図１３（ｃ）に示されるユニットＥは、ドット間の距離が水平軸に対してａｒｃｔａｎ（−１）の方向に密であり、波の伝搬方向はａｒｃｔａｎ（１）である。該ユニットＥで印影画像データを埋め込まない領域に割り当てられる。さらに、電子透かしデータ５０４には、埋め込んだ信号ユニットの数や大きさ（幅と高さ）などの電子透かし情報５０５が含まれる。
作成された電子透かしデータ５０４は、バイナリデータ５０７であり、電子透かしデータメモリ５５６に格納する。
【００２７】
セキュアプリント印刷処理（Ｃ）
通帳プリンタ部４２が、電子透かしデータメモリ５５６に格納されている電子透かしデータ５０４に基づいて通帳の該当ページ５０８へ微細ドットによるセキュアプリント印刷を行う。セキュアプリント印刷を行う通帳プリンタ部４２の解像度として、６００ｄｐｉ（ｄｏｔ  ｐｅｒ  ｉｎｃｈ）以上が要求される。
【００２８】
次に、帳票画像を入手から印鑑照合処理までの読み出し処理について図４を用いて説明する。図４は、実施例１の通帳画像の入手から印鑑照合処理までの読み出し処理の流れを示す図である。また、図６は、実施例１の原理説明図２である。図６を参照しながら図４の処理の流れに沿って説明する。
【００２９】
画像入力処理（Ｄ）
顧客は、例えば通帳２を用いて出金するとき、通帳２と登録印を押印した取引用帳票１ｂを金融機関へ提出する。
印影画像を地紋としてセキュアプリント印刷された通帳２の該当ページ５０８を通伝プリンタ４のスキャナ部４１で走査して画像データを取得する。取得された画像データは、ＰＣ５の画像データメモリ５５２へ送信され格納される。この時使用されるスキャナの解像度は、４００ｄｐｉ以上のものが必要となる。
【００３０】
電子透かしデータ抽出処理（Ｅ）
電子透かしデータ抽出部５３は、画像データメモリ５５２に格納されている画像データから電子透かしデータ６０２を抽出する。そして、通帳印影画像データ取得部５４は、抽出された電子透かしデータの電子透かし情報５０５に基づいて、印影部分の画像データを生成する。変換し得られた印影部分の画像データはバイナリデータ６０７である。復元された副印鑑の印影画像データ６０７は通帳印影画像データとして画像データメモリ５５３に格納される。
【００３１】
画像入力処理２（Ｆ）
スキャナ３で顧客が提出した取引用帳票１ｂを走査し帳票画像データを取得する。取得した帳票画像データを画像切り出し部５１へ送信する。画像切り出し部５１は、受信した帳票画像データの印影部分の画像データを切り出して、取引帳票印影画像データとして画像データメモリ５５４へ格納する。
印鑑照合処理（Ｇ）
印鑑照合部５７が、画像データメモリ５５３と画像データメモリ５５４に格納されている印影部分の画像データを比較することで印鑑照合処理を行い、照合結果として一致や不一致の旨のデータを印鑑照合結果格納メモリ５５７に格納する。
以上の処理を実行することにより、顧客により作成された登録印の押印された帳票から副印鑑がセキュアプリント印刷された通帳を発行する。これにより、その通帳にセキュアプリント印刷された副印鑑を用いて取引時に顧客が登録印を押印し提出した帳票の印影に対して印鑑照合を行うことができる。
【００３２】
本発明の実施例１の印鑑照合システムによれば、顧客は取引時に通帳と取引用帳票を金融機関へ提出する。該通帳には予め登録印影の電子透かしデータに基づいてセキュアプリント印刷が施されている。取引時に該通帳のセキュアプリント印刷部分の画像から登録印影画像データを抽出し、取引用帳票に押印された印鑑の印影画像データとを印鑑照合を行うことにより、登録印影データベースから登録印影をダウンロードする必要がなくなり、高価な登録印影データベースが不要となるうえに登録印影のダウンロードに要する時間が零となるので、窓口での業務が円滑かつ敏速に推進できる。
【００３３】
また、副印鑑をセキュアプリントで通帳に印刷しているため、通帳を盗まれても印鑑を偽造されることが無い、他人が解読することは不可能となり、改ざんされることも無い。また、通帳の背景部など何処にでも印刷（埋め込み）することが可能であるため、副印鑑が何処にセキュアプリント印刷（埋め込み）されているか第３者による解読が困難であり、副印鑑が印刷されていること自体も第３者が知りうることが困難である。
【実施例２】
【００３４】
本発明の実施例２の印鑑照合システムについて、図７〜図１２を用いて詳細に説明する。該印鑑照合システムは、図７に示されるように、帳票１を走査するスキャナ３と、通帳２へ記帳する通伝プリンタ４と、照合機能を有するパソコンなどから成るＰＣ５´と、ＬＡＮ回線６を介してＰＣ５´に接続されるサーバ７および登録印影データベース８から構成される。
【００３５】
実施例２の記憶部５５´は、複数の画像メモリなどで構成される。即ち、画像メモリ５５１と、画像メモリ５５２と、画像メモリ５５３と、画像メモリ５５４と、画像データメモリ５５５と、電子透かしデータメモリ５５６と、印鑑照合結果格納メモリ５５７とで構成される。
【００３６】
ここで、前記した各部と、前記記憶部５５´内の各メモリとの関係について図８を用いて説明する。ＰＣ５´は、図８に示されるように、通帳作成帳票画像切り出し部（通帳作成帳票画像切り出し手段）５０と、帳票画像データのうち印影部分の画像データを切り取る画像切り出し部５１と、電子透かしデータ作成部５２と、電子透かしデータ抽出部５３と、通帳印影画像データ取得部５４と、記憶部５５´と、印影作成部（印影作成手段）５６と、印鑑照合部５７と、ＬＡＮ送受信部５８および制御部５９などから構成される。
【００３７】
ＰＣ５´の主要部のブロック構成は、実施例１の主要部のブロック構成とほぼ同じである。実施例２は、副印鑑の印影を分割してその１つをそのまま従来と同じに表示して残りの部分をセキュアプリント印刷した通帳の使用に対応するので、通帳作成用帳票から取得した帳票画像データから印影部分を切り出し規定に従って分割する通帳作成画像切り出し部５０と、印影画像データ内の左半分と右半分を結合し１つの印影を作成し副印鑑の印影画像データを復元する印影作成部５６と、復元された副印鑑の印影データを格納する画像データメモリ５５５とが実施例１の構成に追加されている。
【００３８】
顧客が通帳を新規に作成するとき、登録印を押印した通帳作成用帳票１ａを金融機関へ提出する。該帳票１ａをスキャナ３で走査して帳票画像を取得する。通帳作成帳票画像切り出し部５０は、該帳票画像のうち印影部分の画像データを切り出し、該印影部分の画像を２分割する。該分割された印影画像の左半分の画像データを画像データメモリ５５１へ送信する。画像データメモリ５５１は、受信した印影画像の左半分の画像データを格納する。また、該分割された印影画像の右半分の画像データを画像データメモリ５５２へ送信する。画像データメモリ５５２は、印影画像の右半分の画像データを格納する。
電子透かしデータ作成部５２は、画像データメモリ５５１に格納されている印影画像の右半分の画像データを電子透かしデータに変換し、電子透かしデータメモリ５５６に格納する機能を持つ。
【００３９】
通帳プリンタ部４２は、電子透かしデータメモリ５５６に格納されている電子透かしデータに基づいてセキュアプリント印刷し、画像データメモリ５５２に格納されている分割された印影画像の右半分の画像データに基づいて通帳２に視認できるドット印刷を行う。
【００４０】
印影作成部５６は、画像データメモリ５５１に格納されている右半分の印影部分の画像データと、画像データメモリ５５３に格納されている左半分の印影部分の画像データを結合し１つの印影を作成し副印鑑の画像データを復元し、該復元された副印鑑の画像データを画像データメモリ５５４に格納する。印鑑照合部５７は、画像データメモリ５５５と画像データメモリ５５４に格納されている２つの画像データを比較して印鑑照合し、印鑑照合結果として一致または不一致の旨を印鑑照合結果格納メモリ５５７に格納する。制御部５９は、ＰＣ５´の各部を総括し制御する。
【００４１】
本発明の実施例２の動作について、図７〜図１２を用いて説明する。
図９は、実施例２の帳票画像の入手から通帳にセキュアプリント印刷を行うまでの埋め込み処理の流れを示す図である。また、図１１は、実施例２の原理説明図１である。図１１を参照しながら第２の実施例の動作について図９の処理の流れに沿って説明する。
【００４２】
画像入力処理（Ａ）
顧客が通帳を新規に作成するとき、登録印を押印した通帳作成用帳票１ａを金融機関へ提出する。該帳票１ａをスキャナ３で走査して帳票画像データを取得する。取得された帳票画像データは、スキャナ３から通帳作成帳票画像切り出し部５０へ送信される。通帳作成帳票画像切り出し部５０では、受信した帳票画像データから印影部分１０２を切り出し２分割する。印影部分の左半分１０３の画像データと右半分１０４の画像データは図１１の１０５に示されるようなバイナリデータである。該左半分１０３の画像データを第１印影画像データとして画像データメモリ５５１へ格納する。該右半分１０４の画像データを第２印影画像データとして画像データメモリ５５２へ格納する。
【００４３】
電子透かしデータ作成処理（Ｂ）
電子透かしデータ作成部５２が、画像データメモリ５５１に格納されている印影部分の左半分１０３の画像データを電子透かしデータへ変換を行い、得られた電子透かしデータ１０６を電子透かしデータメモリ５５６に格納する。
【００４４】
セキュアプリント印刷処理（Ｃ）
通帳プリンタ部４２が、電子透かしデータメモリ５５６に格納されている電子透かしデータに基づいて通帳２へ地紋としてのセキュアプリント印刷し、画像データメモリ５５２に格納されている印影部分の右半分１０４の画像データに基づいてドット印刷により通帳２へ印刷する。
【００４５】
図１０を用いて、通帳画像を入手から印鑑照合処理までの読み出し処理について説明する。図１２は、実施例２の原理説明図２である。図１２を参照しながら第２の実施例の動作について図１０の処理の流れに沿って説明する。
画像入力処理（Ｄ）
顧客は、例えば通帳を用いて出金するとき、通帳２と登録印を押印した取引用帳票１ｂを金融機関へ提出する。
通伝プリンタ４は、スキャナ部４１を用いて提出された通帳２の副印鑑がセキュアプリント印刷される該当ページを走査する。通伝プリンタ４は、通帳画像データ１１３を取得し、取得した通帳画像データ１１３をＰＣ５の画像切り出し部５１へ送信する。
【００４６】
画像切り出し部５１は、受信した通帳画像データから副印鑑部分の画像データを切り出し、該切り出された印影部分の右半分１１２の画像データ（ドット印刷画像データ）として画像データメモリ５５１へ格納する。また、画像切り出し部５１は、前記した通帳画像データ１１３において、通帳の地紋を示す画像データを画像データメモリ５５２へ格納する。つまり、画像データメモリ５５２で保持する画像データは、後述する電子透かしデータ抽出手段により、電子透かしデータを生成可能なデータであり、電子透かし情報１１４と、印影部分の画像（副印鑑の左半分）の電子透かしデータとを含んでいる。
【００４７】
電子透かしデータ抽出処理（Ｅ）
電子透かしデータ抽出部５３は、画像データメモリ５５２に格納されている通帳画像データに示される地紋から、電子透かしデータを抽出する。抽出された電子透かしデータから、通帳印影画像データ取得部５４により、電子透かし情報１１４を参照して印影部分の左半分１１７の印影画像データ１１８として、該印影画像データ１１８を生成する。印影部分の左半分１１７の画像データ１１８は、バイナリデータである。画像データ１１８は、通帳印影画像データとして画像データメモリ５５３に格納する。
印影作成処理（Ｆ）
画像データメモリ５５１に格納されているドット印刷画像データと、画像データメモリ５５３に格納されている通帳印影画像データとに基づいて、一つの印影を示す画像データを生成する。すなわち、副印鑑の印影画像データを復元する。作成された副印鑑の印影画像データは、画像データメモリ５５４に格納される。
【００４８】
画像入力処理２（Ｇ）
前記顧客より提出された取引用帳票１ｂをスキャナ３で走査して帳票画像データを取得し、該帳票画像データをＰＣ５´の画像切り出し部５１へ送信する。画像切り出し部５１は、受信した該帳票画像データのうち印影部分の画像データを切り取り、該印影画像データを取引帳票印影画像データとして、画像データメモリ５５５へ格納する。
印鑑照合処理（Ｈ）
印鑑照合部５７が、画像データメモリ５５４格納されている副印鑑の印影画像データと、画像データメモリ５５５に格納されている取引帳票印影画像データとを比較することで印鑑照合処理を行い、その照合結果として一致または不一致の旨を印鑑照合結果格納メモリ５５７に格納する。
【００４９】
本発明の実施例２によれば、通帳へ副印鑑の印影の半分を押印して、残りの半分をセキュアプリント印刷するので、通帳所有者が登録印鑑を間違えることを防止することができる。また、セキュアプリント印刷された残りの印影は、通帳の背景部に地紋として全面に埋め込むことができるため、印影画像データがどこに印刷されているのか第３者に視認されず、かつ第３者が容易に解読することを防止することができる。
【実施例３】
【００５０】
実施例３では、実施例１の印鑑照合システムにおいて、すでに口座開設済みで本発明の通帳を所持する顧客が、更に新規の口座を開設する場合の運用例について説明する。
顧客が新規の口座を作成するとき、登録印を押印した通帳作成用帳票と開設済みの通帳を金融機関へ提出する。開設済みの口座名義人と新規口座開設者の本人確認をする。本人確認は、暗証番号や生体識別情報であるアイリスデータなどを使用して行う。
【００５１】
本人確認が一致した場合、顧客の開設済みの通帳２において、セキュアプリント印刷が施された該当ページを、通伝プリンタ４のスキャナ部４１で走査して地紋を示す通帳画像データを取得する。スキャナ部４１は、取得した通帳画像データをＰＣ５の画像切り出し部５１を経由して電子透かしデータ抽出部５３へ送信する。電子透かしデータ抽出部５３は、受信した通帳画像データから電子透かしデータを抽出する。該抽出された電子透かしデータに基づいて通帳プリンタ部４２が新しく作成する通帳の該当ページへセキュアプリント印刷を行う。その後、開設済みの通帳と新規開設の通帳の両方を顧客へ渡す。
【００５２】
ところで、前記した本人確認において、不一致の場合は、直ちに新規通帳の開設処理を終了する。
【００５３】
実施例３の運用例によれば、顧客が新規に口座を開設すべく、新規な通帳を作成する際、登録印影データベースから登録印影データをダウンロードすることなく、営業店窓口にて開設済みの通帳から登録印影を示す電子透かしデータを取得し、取得した電子透かしデータに基づいて作成対象の通帳にセキュアプリントを即座に施すことができ、簡単かつ迅速に新規開設の通帳を発行できる。従って、本発明によれば、従来の印鑑照合システムでは登録印影データをダウンロードする為、営業店窓口での１回の印鑑照合に要する処理時間が増大するという非効率な業務の問題を解決できる。
【００５４】
また、登録印影データベースは、全ての顧客の登録印影の収容件数を勘案すると、その規模は大がかりなものとなり、高価なシステムとなるが、本発明の印鑑照合システムでは必ずしも登録印影データベースを必要としないので、設備投資を低減することができる。
【産業上の利用可能性】
【００５５】
以上のように、実施例１ではセキュアプリント印刷する部分を印影全体として説明し、実施例２ではセキュアプリント印刷する部分を印影の半分として説明した。本発明に係るセキュアプリント印刷する部分の印影全体に占める面積の割合は、１または１／２に限定されるものでなく、１／２乃至２／２の範囲内にあれば良く、通帳保有者が登録印鑑を間違えない程度にその割合を設定し通帳が発行され、印鑑照合システムが運用されることは勿論である。
【図面の簡単な説明】
【００５６】
【図１】本発明の印鑑照合システム（実施例１）の構成を示す図である。
【図２】印鑑照合システム（実施例１）の主要部の相互接続を示すブロック図である。
【図３】実施例１の印鑑照合システムにおいて帳票画像の入手から通帳にセキュアプリント印刷を行うまでの埋め込み処理の流れを示す図である。
【図４】実施例１の印鑑照合システムにおいて帳票画像の入手から印鑑照合処理までの読み出し処理の流れを示す図である。
【図５】実施例１の動作原理説明図１である。
【図６】実施例１の動作原理説明図２である。
【図７】本発明の印鑑照合システム（実施例２）の構成を示す図である。
【図８】印鑑照合システム（実施例２）の主要部の相互接続を示すブロック図である。
【図９】実施例２において帳票画像の入手から通帳にセキュアプリント印刷を行うまでの埋め込み処理の流れを示す図である。
【図１０】実施例２において通帳画像の入手から印鑑照合処理までの読み出し処理の流れを示す図である。
【図１１】実施例２の動作原理説明図１である。
【図１２】実施例２の動作原理説明図２である。
【図１３】印影画像データから電子透かしデータへの変換に用いる信号ユニット例を示す図である。
【図１４】従来例の通帳に副印鑑が記録されている２例を示す図である。
【符号の説明】
【００５７】
１，１ａ、１ｂ            帳票
２                        通帳
３                        スキャナ
４                        通伝プリンタ
４１                      スキャナ部
４２                      通帳プリンタ部
５，５´                  印鑑照合装置（ＰＣ）
５０                      通帳作成帳票画像切り出し部
５１                      画像切り出し部
５２                      電子透かしデータ作成部
５３                      電子透かしデータ抽出部
５４                      通帳印影画像データ取得部
５５、５５´              記憶部
５５１、５５２、５５３    画像データメモリ
５５４，５５５            画像データメモリ
５５６                    電子透かしデータメモリ
５５７                    印鑑照合結果格納メモリ
５６                      印影作成部
５７                      印鑑照合部
５８                      ＬＡＮ送受信部
５９                      制御部
６                        ネットワーク（ＬＡＮ）
７                        サーバ
８                        登録印影データベース
【図１】
2005278091.tif 000003
【図２】
2005278091.tif 000004
【図３】
2005278091.tif 000005
【図４】
2005278091.tif 000006
【図５】
2005278091.tif 000007
【図６】
2005278091.tif 000008
【図７】
2005278091.tif 000009
【図８】
2005278091.tif 000010
【図９】
2005278091.tif 000011
【図１０】
2005278091.tif 000012
【図１１】
2005278091.tif 000013
【図１２】
2005278091.tif 000014
【図１３】
2005278091.tif 000015
【図１４】
2005278091.tif 000016